(57)【要約】【課題】ディスク状記録媒体の挿入及び排出に支障をきたすことなくドライブユニットの動きを規制した状態でラットルノイズのレベルを低減させることのできる構造のディスクプレイヤを提供することである。【解決手段】外部筐体２００内に弾性支持されるドライブユニット１００と、ディスクの挿入及び排出を可能とする際に外部筐体２００内の所定位置にてドライブユニット１００の動きを規制するロック機構とを有し、前記ロック機構は、ドライブユニット１００の前方所定部位の両側部のそれぞれを、上下方向の動きをほぼなくして幅方向に延びる軸２０２ａ、２０２ｂを中心に回動自在となるように支持し、ドライブユニット１００の軸２０２ａ、２０２ｂを中心とした揺動を許容した状態でドライブユニット１００の前記前方所定部位の動きを規制する前部ロック機構（１５１、２０２ａ、２０２ｂ）を有する構成となる。【選択図】図７
2007157270.tif 000002
【特許請求の範囲】
【請求項１】
外部筐体と、
該外部筐体内に弾性支持され、ディスク状記録媒体からの情報の読み出しに際して該ディスク状記録媒体を回転駆動するドライブユニットと、
該ドライブユニットの前方からの前記ディスク状記録媒体の挿入及び排出を可能とする際に前記外部筐体内の所定位置にて前記ドライブユニットの動きを規制するロック機構とを有し、
前記ロック機構は、
前記ドライブユニットの前方所定部位の両側部のそれぞれを、挿入及び排出される前記ディスク状記録媒体の面に直交する方向の動きをほぼなくして該ディスク状記録媒体の面に平行な方向に延びる軸を中心に回動自在となるように支持し、前記ドライブユニットの前記軸を中心とした揺動を許容した状態で当該ドライブユニットの前記前方所定部位の動きを規制する前部ロック機構を有することを特徴とするディスクプレイヤ。
【請求項２】
前記前部ロック機構は、前記ドライブユニットの前記前方所定部位の両側部のそれぞれに形成された軸受け部と、前記外部筐体の側方内壁から前記ディスク状記録媒体の面に平行な方向に突出し、前記軸受け部に回動自在に係合する軸体とを有することを特徴とする請求項１記載のディスクプレイヤ。
【請求項３】
前記ロック機構は、更に、前記ドライブユニットの前記前方所定部位より前記ディスク状記録媒体の挿入方向下流側となる後方所定部位の前記ディスク状記録媒体の面に直交する方向の動きを当該ロック機構による規制が解除された状態での動きより小さい範囲に規制する後部ロック機構を有することを特徴とする請求項１または２記載のディスクプレイヤ。
【請求項４】
前記後部ロック機構は、前記ドライブユニットの前記後方所定部位の下方に対向して配置されるブラケット部材を有することを特徴とする請求項３記載のディスクプレイヤ。
【請求項５】
前記ブラケット部材は、前記外部筐体の側方内壁から突出するように形成されたことを特徴とする請求項４記載のディスクプレイヤ。
【請求項６】
前記軸受け部は、前記ドライブユニットの前方に開放する凹部となることを特徴とする請求項２記載のディスクプレイヤ。
【請求項７】
前記ロック機構は、更に、前記ディスク状記録媒体の挿入方向となる後方への動きをほぼなくすように前記ドライブユニットの動きを規制する後方動規制機構を有することを特徴とする請求項６記載のディスクプレイヤ
【発明の詳細な説明】
【技術分野】
【０００１】
本発明は、ＣＤ（Compact Disk）、ＤＶＤ（Digital Versatile Disk）等のディスク状記録媒体から情報を再生するディスクプレイヤに係り、詳しくは、外部筐体内に弾性支持され、ディスク状記録媒体からの情報の読み出しに際して該ディスク状記録媒体を回転駆動するドライブユニットの前記外部筐体内での動きを前記ディスク状記録媒体の挿入及び排出を可能にするに際して規制するロック機構を備えたディスクプレイヤに関する。
【背景技術】
【０００２】
車両に搭載されるオーディオ装置やナビゲーション装置等に適用されるディスクプレイヤでは、ディスク状記録媒体（以下、単にディスクという）を回転駆動するターンテーブルやディスクから情報の読み出しを行なうピックアップ等を備えたドライブユニットが外部筐体内において弾性支持された構造となっている。これにより、走行時の車両の振動が外部筐体に伝達しても、その振動がドライブユニットに直接伝達することがなく（防振構造）、ディスクから情報を安定的に再生することができるようになる。
【０００３】
このようにドライブユニットが外部筐体内に弾性支持される構造となるディスクプレイヤでは、ディスクが支障なくドライブユニットに挿入され、また、そのディスクが支障なくドライブユニットから排出されるようにするため、ディスクの挿入及び排出を可能とする際に外部筐体内の所定位置にて前記ドライブユニットの動きを規制するロック機構が設けられている。従来のディスクプレイヤにおけるロック機構は、例えば、ドライブユニットの前方所定部位の両側部及び該前方所定部位より後方に位置する後方所定部位の両側部のディスクの挿入及び排出方向の動きと、挿入及び排出されるディスクの面に直交する方向の動きの双方をほぼなくすように当該ドライブユニットの動きを規制するようになっている（例えば、特許文献１参照）。
【０００４】
このようなロック機構を有するディスクプレイヤでは、ディスクの挿入及び排出時に、ドライブユニットがディスクの挿入及び排出方向の動きとディスクの面に直交する方向の動きの双方がほぼなくされているので、ディスクの挿入及び排出が支障なくなされるようになる。
【特許文献１】特開２０００−４８４４５号公報
【発明の開示】
【発明が解決しようとする課題】
【０００５】
しかしながら、前述したようなロック機構を有する従来のディスクプレイヤでは、ディスクの挿入及び排出が可能となる状態において、外部筐体に伝達した振動がロック機構を介してドライブユニットに伝達するため、ロック機構を構成する部品間でのガタツキ等によってドライブユニットが共振し、ラットルノイズのレベルが大きくなる傾向にあった。
【０００６】
本発明は、このような従来の問題を解決するためになされたものであり、ディスク状記録媒体の挿入及び排出に支障をきたすことなくドライブユニットの動きを規制した状態でラットルノイズのレベルを低減させることのできる構造のディスクプレイヤを提供するものである。
【課題を解決するための手段】
【０００７】
本発明に係るディスクプレイヤは、外部筐体と、該外部筐体内に弾性支持され、ディスク状記録媒体からの情報の読み出しに際して該ディスク状記録媒体を回転駆動するドライブユニットと、該ドライブユニットの前方からの前記ディスク状記録媒体の挿入及び排出を可能とする際に前記外部筐体内の所定位置にて前記ドライブユニットの動きを規制するロック機構とを有し、前記ロック機構は、前記ドライブユニットの前方所定部位の両側部のそれぞれを、挿入及び排出される前記ディスク状記録媒体の面に直交する方向の動きをほぼなくして該ディスク状記録媒体の面に平行な方向に延びる軸を中心に回動自在となるように支持し、前記ドライブユニットの前記軸を中心とした揺動を許容した状態で当該ドライブユニットの前記前方所定部位の動きを規制する前部ロック機構を有する構成となる。
【０００８】
このような構成により、外部筐体内において弾性支持されたドライブユニットの前方所定部の両側部が、挿入及び排出されるディスク状記録媒体の面に平行な方向に延びる軸を中心に回動自在となるように支持されて当該ドライブユニットの前記軸を中心とした揺動が許容された状態で前記前方所定部位の動きが規制されるので、外部筐体に与えられた振動が前記軸を介してドライブユニットの前記前方所定部位に伝達しても、当該ドライブユニットの前記前方所定部位よりディスク状記録媒体の挿入方向下流側（後方側）部分の振動が弾性部材によって緩和され得るようになる。また、ドライブユニットの前記前方所定部位がディスク状記録媒体に直交する方向の動きがほぼなくなった状態になるので、前方からディスク状記録媒体を支障なく挿入及び排出することができるようになる。
【０００９】
また、本発明に係るディスクプレイヤにおいて、前記前部ロック機構は、前記ドライブユニットの前記前方所定部位の両側部のそれぞれに形成された軸受け部と、前記外部筐体の側方内壁から前記ディスク状記録媒体の面に平行な方向に突出し、前記軸受け部に回動自在に係合する軸体とを有する構成とすることができる。
【００１０】
このような構成により、ドライブユニットの前方所定部位の両側部のそれぞれに形成された軸受け部に外部筐体の側方内壁から突出する軸体が回転自在に係合するので、前記ドライブユニットの前記軸体を中心とした揺動が許容された状態で前記ドライブユニットの前方所定部位の動きが規制され得るようになる。
【００１１】
また、本発明に係るディスクプレイヤにおいて、前記ロック機構は、更に、前記ドライブユニットの前記前方所定部位より前記ディスク状記録媒体の挿入方向下流側となる後方所定部位の前記ディスク状記録媒体の面に直交する方向の動きを当該ロック機構による規制が解除された状態での動きより小さい範囲に規制する後部ロック機構を有する構成とすることができる。
【００１２】
このような構成により、前記前部ロック機構により前記軸を中心とした揺動が許容された状態で前方所定部位の動きが規制されるドライブユニットの更に後方所定部位のディスク状記録媒体の面に直交する方向の動きが当該ロック機構による規制が解除された状態での動きより小さい範囲に規制されるので、比較的大きい振動が外部筐体に与えられた際でも、ドライブユニット全体の振動を比較的小さく抑制することができる。その結果、ディスク状記録媒体の挿入及び排出を可能にした際にそのような大きい振動が外部筐体に与えられたとしても、その挿入及び排出に支障をきたすことを極力防止することができる。
【００１３】
また、本発明に係るディスクプレイヤにおいて、前記後部ロック機構は、前記ドライブユニットの前記後方所定部位の下方に対向して配置されるブラケット部材を有する構成とすることができる。
【００１４】
このような構成により、ドライブユニットが振動した際にその後方所定部位の下部がブラケット部材に突き当たるようになるので、前記ドライブユニットの後方所定部位の下方への動きを規制することができるようになる。
【００１５】
更に、本発明に係るディスクプレイヤにおいて、前記ブラケット部材は、前記外部筐体の側方内壁から突出するように形成された構成とすることができる。
【００１６】
このような構成により、ブラケット部材を比較的容易に外部筐体内に配置することができるようになる。
【００１７】
また、本発明に係るディスクプレイヤにおいて、前記軸受け部は、前記ドライブユニットの前方に開放する凹部となる構成とすることができる。
【００１８】
このような構成により、ドライブユニットの前方に開放する凹部に外部筐体の側方内壁から突出する軸体が係合するようになるので、前記ドライブユニットをディスク状記録媒体の排出方向及び挿入方向（前後方向）に移動させることにより、前記軸体の前記凹部に対する係脱（ドライブユニットの動きの規制及びその規制の解除）を行い得るようになる。
【００１９】
更に、本発明に係るディスクプレイヤにおいて、前記ロック機構は、更に、前記ディスク状記録媒体の挿入方向となる後方への動きをほぼなくすように前記ドライブユニットの動きを規制する後方動規制機構を有する構成とすることができる。
【００２０】
このような構成により、ドライブユニットの前方に開放する凹部に外部筐体の側方内壁から突出する軸体が係合する状態で、当該ドライブユニットのディスク状記録媒体の挿入方向となる後方への動きを確実に規制することができるようになる。
【発明の効果】
【００２１】
本発明に係るディスクプレイヤによれば、ディスク状記録媒体の挿入及び排出を可能とする際に、外部筐体において弾性支持されたドライブユニットの前方所定部位の両側部のそれぞれが、前記ディスク状記録媒体の面に直交する方向の動きをほぼなくして該ディスク状記録媒体の面に平行な方向に延びる軸を中心に回動自在となるように支持され、前記ドライブユニットの前記軸を中心とした揺動を許容した状態で当該ドライブユニットの前記前方所定部位の動きが規制されることから、そのドライブユニットの動きが規制された状態で外部筐体に与えられた振動が前記軸を介してドライブユニットの前記前方所定部位に伝達しても、当該ドライブユニットの前記前方所定部位よりディスク状記録媒体の挿入方向下流側（後方側）部分の振動が弾性部材によって緩和され得るようになり、前方からのディスク状記録媒体の挿入及び排出に支障をきたすことなくラットルノイズのレベルを低減させることができるようになる。
【発明を実施するための最良の形態】
【００２２】
以下、本発明に係る実施の形態について、図面を用いて説明する。
【００２３】
本発明の実施の形態に係るディスクプレイヤは、図１乃至図８に示すように構成されている。なお、図１乃至図８は、ディスクの挿入及び排出を可能とする際にロック機構によってドライブユニットの動きが規制された状態のディスクプレイヤを示し、図１はディスクプレイヤの全体を示す斜視図、図２はドライブユニットを示す斜視図、図３はリンク機構により連結される左右のスライダを示す斜視図、図４はリンク機構により連結される左右のスライダを示す平面図、図５は前部ロック機構を前方側から見た正面図、図６は図５におけるＢ部の拡大図、図７はディスクプレイヤのロック機構を外部筐体の内側から見た側面図、及び図８はディスクプレイヤを外方から見た側面図である。
【００２４】
図１において、このディスクプレイヤは、外部筐体２００内にドライブユニット１００が収容された構造となっている。図示されてはいないが、ドライブユニット１００は、例えばその３つのコーナ部において外部筐体２００内に設けられたダンパやスプリング等の弾性部材により支持されている。外部筐体２００の前面にディスクの挿入（Ａ１）及び排出（Ａ２）の方向（前後方向Ａ２−Ａ１）に直交する幅方向Ａ３−Ａ４に延びる開口２１０が形成されており、この開口２１０を介してディスクのドライブユニット１００への挿入及びディスクのドライブユニット１００からの排出がなされる。なお、以下、ディスクの挿入方向Ａ１を後方（後方向）、ディスクの排出方向Ａ２を前方（前方向）という。
【００２５】
ドライブユニット１００は、図２に示すように構成されている。このドライブユニット１００は本体シャーシ１０を有し、本体シャーシ１０の略中央部にスピンドルモータにて回転されるターンテーブル１１が設けられている。本体シャーシ１０の後方端部にクランプアーム１２の端部が固定されており、クランプアーム１２の前方端部の略中央にクランパの取り付け部１２ａが設けられ、その取付け部１２ａの先端部にターンテーブル１１に対向するようにクランパ（図示略）が取付けられている。また、本体シャーシ１０の前方部上面にシャーシトップ１３が設けられ、図示しないローラとシャーシトップ１３とによってディスクを挟持した状態で前記ローラの回転によりディスクが搬送（挿入及び排出）されるようになっている。なお、図示されてはいないが、本体シャーシ１０の所定位置には、ターンテーブル１１上にセットされて回転駆動されるディスクから情報の読み出しを行なうための光ピックアップが設けられている。
【００２６】
本体シャーシ１０の一方側面の外側にスライダ１５ａが前方及び後方にスライド移動可能に支持されており、本体シャーシ１０の他方側面の外側にもスライダ１５ｂが前方及び後方にスライド移動可能に支持されている。スライダ１５ａの前方端部（ドライブユニット１００の前方部位）には前方に開放する軸受け凹部１５１が形成され、該前方端部より後方の所定部位（ドライブユニット１００の後方部位）には下方に突出する突出部１５２が形成されている。スライダ１５ａと同様に、他方のスライダ１５ｂの前方端部にも前方に開放する軸受け凹部１５１が形成され（図３、図４、図５参照）、その前方端部より後方の所定部位には下方に突出する突出部（図示略）が形成されている。
【００２７】
図３及び図４に示すように、一方のスライダ１５ａは、ロックアーム２０ａとリンク機構３０とを介して他方のスライダ１５ｂに連結されている。そして、スライダ１５ｂに前後方向の駆動力が与えられるようになっており（図示略）、リンク機構３０及びロックアーム２０ａによってスライダ１５ｂの前後方向のスライド移動に同期して他方のスライダ１５ａが前後方向にスライド移動するようになっている。詳細には、リンク機構３０に係合するロックアーム２０ａは、図７及び図８に示すように、本体シャーシ１０の側面から突出する軸２１に回動自在に支持されている。スライダ１５ａの軸受け凹部１５１と突出部１５２との間の所定位置にガイド孔１５３が形成されており、ロックアーム２０ａの周辺部位の所定位置に設けられたピン（図示略）がガイド孔１５３に嵌め込まれている。スライダ１５ｂの後方Ａ１へのスライド移動に伴うリンク機構３０（図３及び図４参照）の動作によりロックアーム２０ａが後方Ａ１に向けて（図７において反時計方向、図８において時計方向）回動される。そのロックアーム２０ａの回動に伴うガイド孔１５３にてガイドされた前記ピンの動きによってスライダ１５ａが後方Ａ１にスライド移動する。一方、スライダ１５ｂの前方Ａ２へのスライド移動に伴うリンク機構３０の動作によりロックアーム２０ａが前方Ａ２に向けて（図７において時計方向、図８において反時計方向）回動される。そのロックアーム２０ａの回動に伴うガイド孔１５３にてガイドされた前記ピンの動きによってスライダ１５ｂが前方Ａ２にスライド移動する。このようにして、両スライダ１５ａ、１５ｂは同期して前後方向にスライド移動する。
【００２８】
また、図３及び図４に示すように、スライダ１５ｂの先端部より後方側にスライダ１５ｂに係合するロックアーム２０ｂが設けられており、ロックアーム２０ｂは、前述したようにスライダ１５ａに係合するロックアーム２０ａと同様に、本体シャーシ１０の側面から突出する軸に回動自在に支持されている。そして、ロックアーム２０ｂは、スライダ１５ｂの前方へのスライド移動に伴って前方に向けて回動し、スライダ１５ｂの後方へのスライド移動に伴って後方に向けて回動する。
【００２９】
図５乃至図８に示すように、外部筐体２００の側面パネル２０１ａ、２０１ｂの内面（側方内壁）前端部の所定位置には、挿入及び排出されるディスクの面に平行な方向（図５における幅方向Ａ３−Ａ４）に突出するように軸体２０２ａ、２０２ｂが立設されている。これら軸体２０２ａ、２０２ｂの先端部は、対応する側のスライダ１５ａ、１５ｂの前端部に形成された軸受け凹部１５１に回動自在に係合している。また、各軸体２０２ａ、２０２ｂの先端部は、対応する軸受け凹部１５１にディスクの面に直交する方向（図５、図７及び図８における方向Ａ５−Ａ６であり、以下、上下方向という）に隙間なく係合している。これにより、スライダ１５ａの前端部及びスライダ１５ｂの前端部のそれぞれ、即ち、ドライブユニット１００の前方部位の両側部のそれぞれは、上下方向Ａ５−Ａ６の動きをほぼなくして外部筐体２００の対応する側の側面パネル２０１ａ、２０１ｂから突出する軸体２０２ａ、２０２ｂを中心に回動自在となるように支持されることとなる。このようにして、ドライブユニット１００の各軸体２０２ａ、２０２ｂを中心とした揺動が許容された状態でドライブユニット１００の前方部位の動きが規制される。
【００３０】
前述したように外部筐体２００の側面パネル２０１ａ、２０１ｂの内面前端部に立設された軸体２０２ａ、２０２ｂ及びそれら軸体２０２ａ、２０２ｂが係合するスライダ１５ａ、１５ｂの前端部に形成された軸受け凹部１５１により、ドライブユニット１００の前方部位の動きを規制する前部ロック機構が構成される。
【００３１】
外部筐体２００の側面パネル２０１ａの内面所定部位にはブラケット部材２０３が内方に突出するように立設されている。ブラケット部材２０３は、前方斜め上方を向いた面を有する後方動規制部２０３ａと前後方向Ａ２−Ａ１（及び幅方向Ａ３−Ａ４）に平行となる面を有する下方動規制部２０３ｂとから構成されている。そして、前述したようにスライダ１５ａ、１５ｂの軸受け凹部１５１に軸体２０２ａ、２０２ｂが係合してドライブユニット１００の前方部位の動きが規制された状態で、スライダ１５ａに形成された突出部１５２の先端とブラケット部材２０３の下方動規制部２０３ｂの面とが対向し、それらの間に隙間Δ10（例えば、１ｍｍ程度）が形成されるようになっている。この状態で、スライダ１５ａの上端面（ドライブユニット１００の上面）と外部筐体２００の上面との間に隙間Δ20（例えば、１ｍｍ程度）が形成される。これにより、スライダ１５ａの突出部１５２の形成された部位、即ち、ドライブユニット１００の後方部位の上方向Ａ５及び下方向Ａ６の動きが外部筐体２００の上面及びブラケット部材２０３の下方動規制部２０３ｂ（後部ロック機構）によってΔ20及びΔ10の範囲に規制される。
【００３２】
また、ドライブユニット１００の前方部位の動きが規制された状態で、ロックアーム２０ａの軸２１を挟んでスライダ１５ａのガイド孔１５３に嵌め込まれたピンと逆側の面がブラケット部材２０３の後方動規制部２０３ａの面に当接している（図７、図８参照）。このようにロックアーム２０ａ及びそれが当接するブラケット部材２０３の後方動規制部２０３ａ（後方動規制機構）によって、ドライブユニット１００の後方Ａ１への動きが規制される。
【００３３】
なお、スライダ１５ａ、ロックアーム２０ａ及びブラケット部材２０３の関係について述べたが、他方のスライダ１５ｂとロックアーム２０ｂとの関係もスライダ１５ａとロックアーム２０ａとの関係と同様であり、また、スライダ１５ａ及びロックアーム２０ａに対するブラケット部材２０３の関係と同様の関係にてスライダ１５ｂ及びロックアーム２０ｂに対してブラケット部材（図示略）が設けられている。
【００３４】
前述したように、軸体２０２ａ、２０２ｂのそれぞれが対応する側のスライダ１５ａ、１５ｂの前端部に形成された軸受け凹部１５１に回動自在に係合し、ドライブユニット１００の軸体２０２ａ、２０２ｂを中心とした揺動が許容された状態でドライブユニット１００の前方部位の動きが規制されるようになるので、外部筐体１００に与えられた振動が軸体２０２ａ、２０２ｂを介してドライブユニット１００の前方部位（スライダ１５ａ、１５ｂの前端部）に伝達しても、弾性部材にて支持されるドライブユニット１００の前記前方部位より後方側部位の振動が前記弾性部材によって緩和され得るようになる。従って、ディスクの挿入及び排出が可能となる際に、前記振動に起因したラットルノイズのレベルを低減させることができるようになる。
【００３５】
また、ドライブユニット１００の軸体２０２ａ、２０２ｂを中心とした揺動が許容されるものの、それら軸体２０２ａ、２０２ｂがスライダ１５ａ、１５ｂの軸受け凹部１５１にその上下方向に隙間なく係合してドライブユニット１００の前方部位の上下方向の動きがほぼなくなるので、開口２１０を介してドライブユニット１００の前方側から支障なくディスクの挿入及び排出が可能となる。
【００３６】
更に、ドライブユニット１００の前方部位より後方に位置する後方部位（スライダ１５ａの突出部１５２が形成された部位に対応）での上下方向の動きが後述する前記規制が解除された状態での動きの範囲（Δ11及びΔ21：図１４参照）より小さいΔ10及びΔ20の範囲に規制されるので、比較的大きい振動が外部筐体２００に与えられた際でも、ドライブユニット１００全体の振動を比較的小さく抑制することができる。その結果、ディスクの挿入及び排出に際してそのような大きい振動が外部筐体２００に与えられたとしても、その挿入及び排出に支障をきたすことを極力防止することができる。
【００３７】
また、スライダ１５ａ（１５ｂ）の前端部に形成された軸受け凹部１５１への軸体２０２ａ（２０２ｂ）の係合により、ドライブユニット１００の前方への動きがほぼなくなり、かつ、ロックアーム２０ａ（２０ｂ）のブラケット部材２０３の後方動規制部２０３ａへの当接によってドライブユニット１００の後方への動きがほぼなくなるので、ディスクの挿入及び排出をより確実に支障なく行なうことができるようになる。
【００３８】
次に、ディスクがドライブユニット１００に挿入されて、前述したように動きの規制されたドライブユニット１００の当該規制が解除されると、ディスクプレイヤは、図９乃至図１５に示すような状態となる。なお、図９はドライブユニットを示す斜視図（対応する図２参照）、図１０はリンク機構により連結される左右のスライダを示す斜視図（対応する図３参照）、図１１はリンク機構により連結される左右のスライダを示す平面図（対応する図４参照）、図１２は前部ロック機構を前方から見た正面図（対応する図５参照）、図１３は図１２におけるＢ部の拡大図（対応する図６参照）、図１４はディスクプレイヤのロック機構を外部筐体の内側から見た側面図（対応する図７参照）、及び図１５はディスクプレイヤを外方から見た側面図である（対応する図８参照）。
【００３９】
駆動力が作用する一方のスライダ１５ｂが後方Ａ１にスライド移動すると、図１０及び図１１に示すようにリンク機構３０が動作して（図３及び図４に示す状態を比較参照）、ロックアーム２０ａが後方に向けて回動し、他方のスライダ１５ａもスライダ１５ｂの動きに同期して後方Ａ１にスライド移動する。その結果、図９に示すように、スライダ１５ａ、１５ｂが本体シャーシ１０に対して後方に移動する（図２に示す状態を比較参照）。
【００４０】
このようにスライダ１５ａ、１５ｂが後方Ａ１にスライド移動すると、図１２乃至図１５に示すように、外部筐体２００の側面パネル２０１ａ、２０１ｂの内面前端部から突出する軸体２０２ａ、２０２ｂの先端部がスライダ１５ａ、１５ｂの前端部に形成された軸受け凹部１５１から外れる。そして、ロックアーム２０ａの回動によって、そのロックアーム２０ａがブラケット部材２０３の後方動規制部２０３ａから離れると共に（図１４、図１５参照）、スライダ１５ａの突出部１５２がブラケット部材２０３の下方動規制部２０３ｂに対向しない位置までずれる（図１４、図１５参照）。なお、他方のロックアーム２０ｂ及びスライダ１５ｂの突出部も同様となる。その結果、弾性部材にて支持されるドライブユニット１００は、前後方向及び上下方向にフリーな状態となって、前述したような動きの規制が解除される。
【００４１】
このように動きの規制が解除されたドライブユニット１００は、その重みによって外部筐体２００内において下方に移動して弾性部材によって支持された状態となる。この状態では、外部筐体２００に振動が加わっても、その振動は弾性部材にて緩和されてドライブユニット１００に直接伝達することがなく（防振）、ドライブユニット１００ではディスクからの情報の読み出し（再生）が安定的になされる。
【００４２】
なお、ドライブユニット１００の動きの規制が解除された状態で、図１４に示すように、スライダ１５ａ（１５ｂ）の下端部（ドライブユニット１００の下面）とブラケット部材２０３の下方動規制部２０３ｂとの間に隙間Δ11（例えば、４ｍｍ）が形成されると共に、スライダ１５ａ（１５ｂ）の上端部（ドライブユニット１００の上面）と外部筐体２００の上面との間に隙間Δ21（例えば、４ｍｍ）が形成される。これらの隙間Δ11及び隙間Δ21は、ドライブユニット１００の動きが規制された状態での隙間Δ10及び隙間Δ20（図７参照）より大きく、通常の振動に対するドライブユニット１００の弾性支持を阻害するものとはならない。
【００４３】
また、ディスクの排出を可能にするに際して、スライダ１５ａ、１５ｂが前方Ａ２にスライド移動されると、各スライダ１５ａ、１５ｂ（ドライブユニット１００）は下方に下がった位置にあるものの（図１４、図１５参照）、各スライダ１５ａ、１５ｂの先端部に形成された軸受け凹部１５１が前方に徐々に拡開するように形成されているので、軸受け凹部１５１の内面が軸体２０２ａ、２０２ｂにスムーズに沿いつつ各スライダ１５ａ、１５ｂがスライド移動できる。そして、軸体２０２ａ、２０２ｂが軸受け凹部１５１に完全に係合する状態に至る過程で、スライダ１５ａ、１５ｂと共に本体シャーシ１０が上方に引き上げられる。これにより、ドライブユニット１００は、図７、図８に示すように外部筐体２００内の上方位置にて前述したような動きの規制された状態となる（図１４、図１５の状態を比較参照）。
【００４４】
なお、前述した例では、各スライダ１５ａ、１５ｂの前端部に軸受け凹部１５１が形成され、外部筐体２００の側面パネル２０１ａ、２０１ｂから軸受け凹部１５１に係合すべき軸体２０２ａ、２０２ｂが突出するものとなっていたが、各スライダ１５ａ、１５ｂの前端部に軸体を設け、外部筐体２００の側面パネル２０１ａ、２０１ｂに前記軸体が係合すべき軸受け部を設けることも可能である。
【産業上の利用可能性】
【００４５】
以上、説明したように、本発明に係るディスクプレイヤは、ディスク状記録媒体の挿入及び排出に支障をきたすことなくドライブユニットの動きを規制した状態でラットルノイズのレベルを低減させることのできるという効果を有し、外部筐体内に弾性支持され、ディスク状記録媒体からの情報の読み出しに際して該ディスク状記録媒体を回転駆動するドライブユニットの前記外部筐体内での動きを前記ディスク状記録媒体の挿入及び排出に際して規制するロック機構を備えたディスクプレイヤとして有用である。
【図面の簡単な説明】
【００４６】
【図１】ドライブユニットの動きが規制された状態の本発明の実施の一形態に係るディスクプレイヤを示す斜視図である。
【図２】外部筐体内において動きが規制された状態でのドライブユニットの構造を示す斜視図である。
【図３】ドライブユニットの動きが規制された状態でのリンク機構にて連結された左右のスライダを示す斜視図である。
【図４】ドライブユニットの動きが規制された状態でのリンク機構にて連結された左右のスライダを示す斜視図である。
【図５】ドライブユニットの動きが規制された状態での前部ロック機構を前方側から見た正面図である。
【図６】図５におけるＢ部の拡大図である。
【図７】ドライブユニットの動きが規制された状態でのロック機構を外部筐体の内側から見た側面図である。
【図８】ドライブユニットの動きが規制された状態でのディスクプレイヤを外方から見た側面図である。
【図９】ドライブユニットの動きの規制が解除された状態でのドライブユニットの構造を示す斜視図である。
【図１０】ドライブユニットの動きの規制が解除された状態でのリンク機構にて連結された左右のスライダを示す斜視図である。
【図１１】ドライブユニットの動きの規制が解除された状態でのリンク機構にて連結された左右のスライダを示す斜視図である。
【図１２】ドライブユニットの動きの規制が解除された状態での前部ロック機構を前方側から見た正面図である。
【図１３】図１２におけるＢ部の拡大図である。
【図１４】ドライブユニットの動きの規制が解除された状態でのロック機構を外部筐体の内側から見た側面図である。
【図１５】ドライブユニットの動きの規制が解除された状態でのディスクプレイヤを外方から見た側面図である。
【符号の説明】
【００４７】
１０  本体シャーシ
１１  ターンテーブル
１２  クランプアーム
１２ａ  取り付け部
１３  シャーシトップ
１５ａ，１５ｂ  スライダ
１５１  軸受け凹部
１５２  突出部
１５３  係合孔
２０ａ，２０ｂ  ロックアーム
２１  軸
３０  リンク機構
１００  ドライブユニット
２００  外部筐体
２０１ａ，２０１ｂ  側面パネル
２０２ａ，２０２ｂ  軸体
２０３  ブラケット部材
２０３ａ  後方動規制ブラケット
２０３ｂ  下方動規制ブラケット
【図１】
2007157270.tif 000003
【図２】
2007157270.tif 000004
【図３】
2007157270.tif 000005
【図４】
2007157270.tif 000006
【図５】
2007157270.tif 000007
【図６】
2007157270.tif 000008
【図７】
2007157270.tif 000009
【図８】
2007157270.tif 000010
【図９】
2007157270.tif 000011
【図１０】
2007157270.tif 000012
【図１１】
2007157270.tif 000013
【図１２】
2007157270.tif 000014
【図１３】
2007157270.tif 000015
【図１４】
2007157270.tif 000016
【図１５】
2007157270.tif 000017